(57)【要約】      （修正有）【課題】不妊治療を行っている被計測者の基礎体温表自動転送システムを提供する。【解決手段】基礎体温の変化に加え、医師の内診結果を併せて診断する為に、医師の内診は必須とし、被計測者は産婦人科に通院している不妊治療中の患者とする。患者は毎日の基礎体温データ等を集計センターに送信し、医師は被計測者の内診データ（卵胞の大きさ・個数等）を必ず入力し、集計センターに報告することを必須とする。集計センターは、入力されたデータを解析し、排卵日の予測・避妊期間・妊娠可能期間・多産の危険等を、被計測者に対し、準備周期・本番周期に関係なく、毎月自動的にメールにて通知する。被計測者と医師（医院）との関係を１対１として関連付けられたＩＤの発行を行う。【選択図】図１
2010205240.tif 000002
【特許請求の範囲】
【請求項１】
本システム利用時において、被計測者（１）・集計センター（３）・関連付けられた医院（４）の三者の合意の下、利用契約を交わす事を特徴とする不妊治療における基礎体温表自動転送システム。
【請求項２】
被計測者（１）は、不妊治療中の個人である事を特徴とする不妊治療における請求項１における礎体温表自動転送システム。
【請求項３】
被計測者（１）が、毎日の基礎体温データ・生理開始日を集計センター（３）に、携帯電話・パーソナルコンピュータ（２）を用い送信する際の送信プログラムと受信プログラムを有する事を特徴とする請求項１における不妊治療における基礎体温表自動転送システム。
【請求項４】
集計センター（３）が、被計測者（１）から入力されたＩＤの正当性をチェックし、不適切なＩＤが入力された場合、被計測者（１）にメッセージを送信する際に、ＩＤの正当性チェックアプリケーション及び、被計測者（１）に送信する送信プログラムと被計測者（１）がメッセージを受信するための受信プログラムを有する事を特徴とする請求項１における不妊治療における基礎体温表自動転送システム。
【請求項５】
集計センター（３）が、被計測者（１）のデータの管理を行い、関連付けられた医院（４）に基礎体温データ・関連するデータの送信をおこなう際の、データ管理方法と関連付けられた医院（４）にデータを送信する送信プログラムを有する事を特徴とする請求項１における不妊治療における基礎体温表自動転送システム。
【請求項６】
関連付けられた医院（４）において、被計測者（１）のデータは被計測者（１）の通院日に必ず入力する事とするが、その、被計測者（１）のデータ入力プログラムと集計センター（３）にデータを送信する場合の送信プログラムを有する事を特徴とする請求項１における不妊治療における基礎体温表自動転送システム。
【請求項７】
集計センター（３）において、関連付けられた医院（４）より入力されたデータの解析を行い、排卵日、避妊期間、妊娠可能期間、多産の危険等を、被計測者（１）にメッセージを送信する際に、入力されたデータの解析プログラムとメッセージを送信する送信プログラムを有する事を特徴とする請求項１における不妊治療における基礎体温表自動転送システム。
【請求項８】
集計センター（３）または関連付けられた医院（４）は、被計測者（１）からの請求があった場合、グラフ化した基礎体温表を提供する事を特徴とする請求項１における不妊治療における基礎体温表自動転送システム。
【発明の詳細な説明】
【技術分野】
【０００１】  本発明は、不妊治療を行う被計測者及び治療を行う医師及び集計センターとの合意により、被計測者の基礎体温データが自動的に医院のパーソナルコンピュータに転送されるシステムである。
【背景の技術】
【０００２】  従来、基礎体温表は被計測者の手書きによって作成されており、通院日に被計測者が基礎体温表の持参を忘れた場合は、医師は体温の変化を把握できない場合があった。又、被計測者の基礎体温データを病院に公開し、医師の診断を受けるというシステムがあった。（特許文献１参照）
【特許文献１】特許公開２００１−３５３１６０号広報
【発明の開示】
【発明が解決しようとする課題】
【０００３】（イ）基礎体温の変化のみで、医師が何らかの診断を下すことは非常に困難である。医師が被計測者に何らかの診断を下すためには、被計測者の詳しい診断データが必要である。
（ロ）被計測者が自身の基礎体温の変化で、異変を感じることはほとんどの場合無い様に思われる。被計測者が基礎体温の変化で、異変を感じる場合の例として、高温期が続く場合（妊娠した場合）のみではないかと思われる。その場合に、従来のシステムを利用し、専門家の診断を受けるとは思われない。被計測者は、高温期が続く場合、最近は高性能な妊娠検査薬が販売されいて、多くは、この妊娠検査薬を利用するのではないかと思われる。
（ハ）従来のシステムは、診断先が産婦人科であり行きにくいため先延ばしにしてしまうということだが、被計測者を広い範囲で求めていては、従来システムの利用価値は低いと考えられる。
（ニ）被計測者は医師からのアドバイスを受けるという指示を出さない限り、専門家からの診断を受け取れないというのは問題がある。これでは、何らかの異変を医師が感じたとしても、医師からの診断が被計測者に伝わらない可能性が高くなる。
（ホ）医師の診断を受けるか否かの判断を被計測者が行っていては、被計測者が自身で自身を診断していることと同じである。
（ヘ）被計測者が病院を選択するという工程は、自身の基礎体温データ（個人情報）が複数の病院に公開される可能性を含み、複数の専門家から各々異なる診断結果を受けて混乱を招く恐れがある。
（ト）複数の専門家からの診断がほしい場合は有効なシステムかも知れないが、もし、複数の専門家が同じ基礎体温データで、異なる診断を下した場合、従来システムが課題としている、実際に病院に出向くことなく専門家の診断を受けられるという趣旨は、被計測者にとって意味がなく、困惑を招くだけとなる。
本発明は、以上の問題点を解決するためになされたものである。
【課題を解決する手段】
【０００４】  基礎体温の変化に加え、医師の内診結果を併せて診断する為に、医師の内診は必須とし、被計測者は産婦人科に通院している不妊治療中の患者とする。患者は毎日の基礎体温データ等を集計センターに送信し、医師は被計測者の内診データ（卵胞の大きさ・個数等）を必ず入力し、集計センターに報告することを必須とする。集計センターは、入力されたデータを解析し、排卵日の予測・避妊期間・妊娠可能期間・多産の危険等を、被計測者に対し、準備周期・本番周期に関係なく、毎月自動的にメールにて通知する。被計測者と医師（医院）との関係を１対１として関連付けられたＩＤの発行を行う。
以上の構成よりなる不妊治療における基礎体温表自動転送システム。
【発明の効果】
【０００５】  患者が通院日に基礎体温表を持参し忘れた場合も、医師の診断に何らの支障もきたさない。医師は患者の基礎体温の変化によるだけでなく、集積された詳しいデータの解析に基づいた、より正確な診断や注意事項を患者に提供することが出来る。受診の必要を患者の主観的な判断や気まぐれに依存しないので、患者における何らかの異変を医師が感じた場合に、医師からの診断が患者に確実に伝えられる。患者と医師（医院）とが１対１の形に関連付けられたＩＤの発行によって、「患者が複数の専門医による異なる診断結果を受けて混乱するというような場合の弊害」も、自動的に解消できるので、「実際に病院に出向くことなく専門医の診断を受けられる」というシステム化の趣旨が、本来的な意義を回復する。
【発明を実施するための形態】
【０００６】以下、本発明の実施の形態を説明する。
（イ）本システム利用時に、被計測者と医院の双方に利用ＩＤの付与がなされ基礎体温データが関連付けられた医院（４）に間違いなく送信される。
（ロ）被計測者（１）は基礎体温計測後、携帯電話・パーソナルコンピュータ（２）でその日の基礎体温データを集計センター（３）に送信する。
（ハ）被計測者（１）は、不妊治療において最も重要な日である、生理開始日には必ず基礎体温データと生理開始日を集計センター（３）に送信する。
（ニ）集計センター（３）においては、被計測者（１）から生理開始日の送信を受信した場合、無条件に関連付けられた医院（４）に基礎体温データと生理開始日の送信を行う。
（ホ）集計センター（３）においては、被計測者（１）から入力されたＩＤの入力値の判定を行い、不適切なＩＤが入力された場合、エラーメッセージを被計測者に送信する。
（ヘ）関連付けられた医院（４）においては、被計測者のデータ（卵胞の大きさ・個数等）の入力を行い、集計センター（３）にデータの送信を行わなければならない。
（ト）集計センター（３）においては、関連付けられた医院（４）から入力された被計測者のデータのチェックを行い、被計測者（１）に、排卵日が近づいた時、避妊期間、妊娠の危険、多産の危険がある事等を送信する。
（チ）集計センター（３）においては、被計測者の基礎体温データと関連付けられた医院（４）より入力されたデータを保存することが出来、被計測者が希望する場合、基礎体温表をグラフ化して出力を行うことができる。
（リ）被計測者（１）が希望する場合、基礎体温表をグラフ化して郵送する事が出来る。
本発明は以上の構成よりなる。
本発明を使用するときは、被計測者（１）・集計センター（３）・関連付けられた医院（４）の三者から利用契約を結び使用するものとする。被計測者（１）においては、生理開始日は不妊治療において最も重要な日であることの認識をしてもらい、生理開始日にはその当日に基礎体温データ及び生理開始日の送信を必ず行うことを前提条件とする。
【図面の簡単な説明】
【０００７】
【図１】本システムの流れ図
【図２】集計センターにおける流れ図
【符号の説明】
【０００８】（１）被計測者、（２）携帯電話・パーソナルコンピュータ、（３）集計センター、（４）関連付けられた医院
【図１】
2010205240.tif 000003
【図２】
2010205240.tif 000004